(57)【要約】  光信号送信制御装置及び光信号送信制御方法に関し、異常光信号を検出して、送出を停止させる。  複数の加入者線終端装置１を光カプラ２と光伝送路とを介して集合回線終端装置３に接続したＰＯＮシステムに於ける光信号送信制御装置及び光信号送信制御方法であって、送受信信号を処理するＰＯＮ処理部１１と、電気信号を光信号に変換して送信する光送出部１７と、ＰＯＮ処理部１１からの電気信号を光送出部１７に入力する送出制御部１６と、光異常出力監視部１８とを備え、この光異常出力監視部１８により、光送出部１７からの光信号をモニタして、光信号の異常の有無を監視し、異常検出時の異常検出信号を、ＰＯＮ処理部１１と送出制御部１６と光送出部１７との何れか一つ又は複数に入力して、光信号の送出停止制御を行う。
2008126220.tif 000002
【特許請求の範囲】
【請求項１】
複数の加入者線終端装置を光カプラと光伝送路とを介して集合回線終端装置に接続したＰＯＮシステムに於ける光信号送信制御装置に於いて、
送受信信号を処理するＰＯＮ処理部と、電気信号を光信号に変換して送信する光送出部と、前記ＰＯＮ処理部からの電気信号を前記光送出部に入力する送出制御部と、前記光送出部からの光信号をモニタして、該光信号の異常の有無を監視し、異常検出時の異常検出信号を少なくとも前記ＰＯＮ処理部に入力して、前記光信号の送出停止制御を行う光異常出力監視部とを備えた
ことを特徴とする光信号送信制御装置。
【請求項２】
前記光異常出力監視部は、前記光送出部からの光信号をモニタし、前記集合回線終端部からの割り当て送信時間であるか否かを監視し、該割り当て送信時間からずれている時に、前記異常検出信号を出力する構成を有することを特徴とする請求の範囲第１項記載の光信号送信制御装置。
【請求項３】
前記光異常出力監視部は、前記光送出部からの光信号をモニタし、所定の送信フレームフォーマットであるか否かを監視し、該送信フレームフォーマットでない時に、前記異常検出信号を出力する構成を有することを特徴とする請求の範囲第１項記載の光信号送信制御装置。
【請求項４】
前記光異常出力監視部は、前記光送出部からの光信号をモニタし、所定の符号則に従った光信号であるか否かを監視し、該符号則に従った光信号でない時に、前記異常検出信号を出力する構成を有することを特徴とする請求の範囲第１項記載の光信号送信制御装置。
【請求項５】
前記光送出部は、前記光異常出力監視部からの異常検出信号又は前記ＰＯＮ処理部からの制御信号により、光信号の送出を停止する構成を備えたことを特徴とする請求の範囲第１項記載の光信号送信制御装置。
【請求項６】
前記送出制御部は、前記光異常出力監視部からの異常検出信号又は前記ＰＯＮ処理部からの制御信号により、前記光送出部へ光信号に変換する為の電気信号の入力を停止する構成を備えたことを特徴とする請求の範囲第１項記載の光信号送信制御装置。
【請求項７】
前記ＰＯＮ処理部は、前記光異常出力監視部からの異常検出信号により、前記光送出部と送出制御部との何れか一方又は両方に、光信号送出停止の制御信号を入力する構成を備えたことを特徴とする請求の範囲第１項記載の光信号送信制御装置。
【請求項８】
複数の加入者線終端装置を光カプラと光伝送路とを介して集合回線終端装置に接続したＰＯＮシステムに於ける光信号送信制御方法に於いて、
送受信信号を処理するＰＯＮ処理部と、電気信号を光信号に変換して送信する光送出部と、前記ＰＯＮ処理部からの電気信号を前記光送出部に入力する送出制御部と、光異常出力監視部とを含み、該光異常出力監視部により前記光送出部からの光信号をモニタし、該光送出部からの光信号の異常の有無を監視し、異常検出時に前記光信号の送出を停止させる制御を行う過程を含む
ことを特徴とする光信号送信制御方法。
【請求項９】
前記光異常出力監視部により、前記光送出部からの光信号をモニタし、前記集合回線終端部からの割り当て送信時間であるか否かを監視し、該割り当て送信時間からずれている時に、異常検出信号を出力して少なくとも前記ＰＯＮ処理部に入力し、前記光送出部からの光信号送出を停止させる制御を行う過程を含むことを特徴とする請求の範囲第８項記載の光信号送信制御方法。
【請求項１０】
前記光異常出力監視部により、前記光送出部からの光信号をモニタし、所定の送信フレームフォーマットであるか否かを監視し、所定の送信フレームフォーマットでない時に、異常検出信号を出力して少なくとも前記ＰＯＮ処理部に入力し、前記光送出部からの光信号送出を停止させる制御を行う過程を含むことを特徴とする請求の範囲第８項記載の光信号送信制御方法。
【請求項１１】
前記光異常出力監視部により、前記光送出部からの光信号をモニタし、所定の符号則に従った光信号であるか否かを監視し、所定の符号則に従った光信号でない時に、異常検出信号を出力して少なくとも前記ＰＯＮ処理部に入力し、前記光送出部からの光信号送出を停止させる制御を行う過程を含むことを特徴とする請求の範囲第８項記載の光信号送信制御方法。
【請求項１２】
前記光異常出力監視部からの異常検出信号又は前記ＰＯＮ処理部からの制御信号により、前記光送出部は光信号の送出停止制御を行う過程を含むことを特徴とする請求の範囲第８項記載の光信号送信制御方法。
【請求項１３】
前記光異常出力監視部からの異常検出信号又は前記ＰＯＮ処理部からの制御信号により、前記送出制御部は、前記光送出部へ光信号に変換する為の電気信号の入力を停止して、光信号の送出停止制御を行う過程を含むことを特徴とする請求の範囲第８項記載の光信号送信制御方法。
【請求項１４】
前記光異常出力監視部からの異常検出信号により、前記ＰＯＮ処理部は、前記光送出部と送出制御部との何れか一方又は両方に、光信号送出停止の制御信号を入力して、光信号の送出停止制御を行う過程を含むことを特徴とする請求の範囲第８項記載の光信号送信制御方法。
【発明の詳細な説明】
【技術分野】
【０００１】
本発明は、集合回線終端装置（ＯＬＴ；Ｏｐｔｉｃａｌ  Ｌｉｎｅ  Ｔｅｒｍｉｎａｌ）と加入者線終端装置（ＯＮＵ；Ｏｐｔｉｃａｌ  Ｎｅｔｗｏｒｋ  Ｕｎｉｔ）とを含むＰＯＮ（Ｐａｓｓｉｖｅ  Ｏｐｔｉｃａｌ  Ｎｅｔｗｏｒｋ）システムに於ける光信号送信制御装置及び光信号送信制御方法に関する。
【背景技術】
【０００２】
ＰＯＮシステムは、複数の加入者線終端装置ＯＮＵと光カプラとの間は個別の光伝送路で接続するが、光カプラから集合回線終端装置ＯＬＴまでの間は共通化した光伝送路で接続し、複数の加入者線終端装置ＯＮＵは、それぞれ重複しない光信号送信開始タイミングと送信継続時間とが割り当てられ、光カプラに於いて複数の加入者線終端装置ＯＮＵからそれぞれ異なる割り当て送信時間に送信した光信号が時間多重されて、１本の光伝送路により集合回線終端装置ＯＬＴに伝送される。又集合回線終端装置ＯＬＴからの光信号は、光カプラにより分岐されて複数の加入者線終端装置ＯＮＵに同時に伝送される。このようなＰＯＮシステムに於いて、複数の加入者線終端装置の中の１台でも、障害等により、割り当て送信時間以外に光信号を送信すると、他の加入者線終端装置の送信光信号と光カプラに於いて衝突状態となり、伝送エラーにより回線ダウンが発生する。【０００３】
そこで、光カプラで時間多重する前の各加入者線終端装置からの光信号を、集合回線終端装置ＯＬＴ側へ、光カプラ側と異なる光伝送路により伝送し、集合回線終端装置に設けた監視装置により、各加入者線終端装置の送信光信号を監視し、割り当て送信時間に従って光信号を送信しているか否かを判定し、この割り当て送信時間に対してずれている送信時間で光信号を送信する加入者線終端装置を検出した場合、その加入者線終端装置を障害発生加入者線終端装置として、光カプラの前段に設けた光遮断器により、光カプラ側へ送出する光信号を遮断する構成が提案されている（例えば、特許文献１参照）。
【特許文献１】特開平１１−９８０７８号公報）
【発明の開示】
【発明が解決しようとする課題】
【０００４】
ＰＯＮシステムは、集合回線終端装置ＯＬＴと光カプラとの間は１本の光伝送路で済むから、ポイント・ツー・ポイント方式よりシステムコストを低減できる利点があるが、各加入者線終端装置ＯＮＵは、光カプラに於いて光信号が時間的に同時とならないように、それぞれ割り当てられた送信開始タイミングで光信号の送信を開始し、割り当てられた送信継続時間内に送信終了する必要がある。割り当て送信開始タイミングより早く光信号を送信開始した場合、又は送信継続時間を超えて、例えば、連続的に光信号を送信する状態となった場合は、他の加入者線終端装置ＯＮＵから送信した光信号と光カプラに於いて衝突状態となり、伝送エラーとなって、集合回線終端装置ＯＬＴ配下の全加入者線終端装置ＯＮＵが通信不能となり、システムダウン状態となる問題があった。【０００５】
このような問題を、前述の特許文献１は、集合回線終端装置ＯＬＴに監視装置を設け、光カプラにより時間多重する前の各加入者線終端装置ＯＮＵからの光信号を分岐し、それぞれ主信号伝送用の光伝送路とは別個の光伝送路を介して監視装置に伝送し、加入者線終端装置ＯＮＵ対応の監視を可能とし、異常発生加入者線終端装置ＯＮＵからの光信号を遮断する構成は、ＰＯＮシステムに於ける光カプラから集合回線終端装置ＯＬＴまで１本の光伝送路で済む利点が失われる問題がある。【０００６】
本発明は、ＰＯＮシステムの利点を失うことなく、加入者線終端装置ＯＮＵに於いて正常性を監視し、異常発生時には、光信号の送信を阻止して、他の加入者線終端装置ＯＮＵの光信号送信に妨害を与えないようにすることを目的とする。
【課題を解決するための手段】
【０００７】
本発明の光信号送信制御装置は、複数の加入者線終端装置を光カプラと光伝送路とを介して集合回線終端装置に接続したＰＯＮシステムに於ける光信号送信制御装置であって、送受信信号を処理するＰＯＮ処理部と、電気信号を光信号に変換して送信する光送出部と、前記ＰＯＮ処理部からの電気信号を前記光送出部に入力する送出制御部と、前記光送出部からの光信号をモニタして、該光信号の異常の有無を監視し、異常検出時の異常検出信号を少なくとも前記ＰＯＮ処理部に入力して、前記光信号の送出停止制御を行う光異常出力監視部とを備えている。【０００８】
又前記光異常出力監視部は、光送出部からの光信号をモニタし、集合回線終端部からの割り当て送信時間であるか否かを監視し、該割り当て送信時間からずれている時に、異常検出信号を出力する構成とすることができる。又光送出部からの光信号をモニタし、所定の送信フレームフォーマットであるか否かを監視し、該送信フレームフォーマットでない時に、前記異常検出信号を出力する構成とすることができる。又光送出部からの光信号をモニタし、所定の符号則に従った光信号であるか否かを監視し、該符号則に従った光信号でない時に、前記異常検出信号を出力する構成とすることができる。【０００９】
又前記光送出部は、前記光異常出力監視部からの異常検出信号又は前記ＰＯＮ処理部からの制御信号により、光信号の送出を停止する構成を備えることができる。【００１０】
又前記送出制御部は、前記光異常出力監視部からの異常検出信号又は前記ＰＯＮ処理部からの制御信号により、前記光送出部へ光信号に変換する為の電気信号の入力を停止する構成を備えることができる。【００１１】
又前記ＰＯＮ処理部は、前記光異常出力監視部からの異常検出信号により、前記光送出部と送出制御部との何れか一方又は両方に、光信号送出停止の制御信号を入力する構成を備えることができる。【００１２】
本発明の光信号送信制御方法は、複数の加入者線終端装置を光カプラと光伝送路とを介して集合回線終端装置に接続したＰＯＮシステムに於ける光信号送信制御方法であって、送受信信号を処理するＰＯＮ処理部と、電気信号を光信号に変換して送信する光送出部と、前記ＰＯＮ処理部からの電気信号を前記光送出部に入力する送出制御部と、光異常出力監視部とを含み、該光異常出力監視部により前記光送出部からの光信号をモニタし、該光送出部からの光信号の異常の有無を監視し、異常検出時に前記光信号の送出を停止させる制御を行う過程を含むものである。【００１３】
又前記光異常出力監視部により、前記光送出部からの光信号をモニタし、前記集合回線終端部からの割り当て送信時間であるか否かを監視し、該割り当て送信時間からずれている時に、異常検出信号を出力して少なくとも前記ＰＯＮ処理部に入力し、前記光送出部からの光信号送出を停止させる制御を行う過程を含むことができる。又前記光異常出力監視部により、前記光送出部からの光信号をモニタし、所定の送信フレームフォーマットであるか否かを監視し、所定の送信フレームフォーマットでない時に、異常検出信号を出力して少なくとも前記ＰＯＮ処理部に入力し、前記光送出部からの光信号送出を停止させる制御を行う過程を含むことができる。又前記光異常出力監視部により、前記光送出部からの光信号をモニタし、所定の符号則に従った光信号であるか否かを監視し、所定の符号則に従った光信号でない時に、異常検出信号を出力して少なくとも前記ＰＯＮ処理部に入力し、前記光送出部からの光信号送出を停止させる制御を行う過程を含むことができる。【００１４】
又前記光異常出力監視部からの異常検出信号又は前記ＰＯＮ処理部からの制御信号により、前記光送出部は光信号の送出停止制御を行う過程を含むことができる。又前記光異常出力監視部からの異常検出信号又は前記ＰＯＮ処理部からの制御信号により、前記送出制御部は、前記光送出部へ光信号に変換する為の電気信号の入力を停止して、光信号の送出停止制御を行う過程を含むことができる。又前記光異常出力監視部からの異常検出信号により、前記ＰＯＮ処理部は、前記光送出部と送出制御部との何れか一方又は両方に、光信号送出停止の制御信号を入力して、光信号の送出停止制御を行う過程を含むことができる。
【発明の効果】
【００１５】
各加入者線終端装置ＯＮＵに光異常出力監視部を設けて、光送出部から光カプラ側へ送出する光信号をモニタし、その光信号の送信時間、送信フレームフォーマット、符号則等の何れか一つが規定された通りでない場合は異常と判定して、光信号の送出停止を行うものであり、従って、ＰＯＮシステムの利点を有すると共に、１台の加入者線終端装置ＯＮＵに異常が発生してもシステムダウンとなることを回避できる利点がある。
【図面の簡単な説明】
【００１６】
【図１】本発明の実施例１のＰＯＮシステムの説明図である。
【図２】本発明の実施例１の光信号送信制御装置の要部説明図である。
【図３】本発明の実施例１の送信タイミング異常時の説明図である。
【図４】本発明の実施例１の送信フレーム異常時の説明図である。
【図５】本発明の実施例１のフローチャートである。
【発明を実施するための最良の形態】
【００１７】
図１は、ＰＯＮシステムの説明図であり、１は加入者線終端装置ＯＮＵ、２は光カプラ、３は集合回線終端装置ＯＬＴ、４はユーザ端末、１１はＰＯＮ処理部、１２はＰＯＮインタフェース部（ＰＯＮ  Ｉ／Ｆ）、１３はメモリ部、１４はインタフェース部（ＩＦ）、１５は電源部を示す。集合回線終端装置３に光カプラ２を介して複数の加入者線終端装置１がそれぞれ光伝送路によって接続されて、ＰＯＮシステムが構成される。加入者線終端装置１は、送受信制御機能を有するＰＯＮ処理部１１と、光カプラ２を介して光信号の送受信処理を行うＰＯＮインタフェース部１２と、主信号バッファ用及び制御プログラム等を格納したメモリ部１３と、パソコン等のユーザ端末４と接続する為のインタフェース部１４と、交流１００Ｖ等の交流電源電圧を入力して直流に変換し、各部に直流の動作電力を供給する電源部１５とを含む構成を有し、ＰＯＮ処理部１１とＰＯＮインタフェース部１２とに於ける光信号の送信制御手段により、光信号送信制御装置を構成している。【００１８】
又集合回線終端装置３は、光カプラ２を介して接続された加入者線終端装置１に対して、それぞれ送信開始タイミングと送信継続時間とを含む送信時間を割り当てるもので、その送信時間は、送信要求加入者線終端装置数や伝送帯域等の要求に従って決定することができる。【００１９】
図２は、光信号送信制御装置の要部を示すもので、図１に於けるＰＯＮ処理部１１とＰＯＮインタフェース部１２とに於ける光信号を送信する機能の部分を示し、ＰＯＮインタフェース部１２は、送出制御部１６と、光送出部１７と、光異常出力監視部１８とを含むものである。なお、集合回線終端装置３から光カプラ２を介した光信号の受信機能の部分は図示を省略しているが、既に知られている各種の光信号受信構成を適用することが可能である。【００２０】
ＰＯＮ処理部１１は、電気信号としてデータの送受信処理を行うと共に、集合回線終端装置３から指定された送信開始タイミングと送信継続時間とを含む割り当て送信時間に従って送信制御を行う機能を含むものである。又光送出部１７は、電気信号を光信号に変換するレーザダイオード等からなる光モジュールを含み、この光モジュールにより変換した光信号を、光カプラ２を介して集合回線終端装置３へ送出する機能を有するものである。又送出制御部１６は、ＰＯＮ処理部１１からの電気信号に応じて、光送出部１７を制御する機能を含むものである。【００２１】
又光異常出力監視部１８は、光送出部１７からの光信号をモニタして、異常の有無を判定するものであり、異常検出として、割り当て送信時間、送信フレーム、符号則等について正常か否かを判定する機能を有するものであり、割り当て送信時間については、前述のように、集合回線終端装置から通知された送信開始タイミング情報と送信継続時間情報とを、ＰＯＮ処理部１１から光異常出力監視部１８に通知しておくものである。それにより、光異常出力監視部１８は、光送出部１７からの光信号が、割り当て送信開始タイミングより早い送信開始の場合、又割り当て送信継続時間より長く送信を継続した場合は、異常発生と判定する。又ＰＯＮ処理部１１から光異常出力監視部１８に、予め送信フレーム長情報を通知して設定し、光送出部１７からの光信号による送信フレーム長が設定送信フレーム長と一致しない場合、所定の送信フレームを構成していないから、光異常出力監視部１８は異常発生と判定する。【００２２】
又ＰＯＮ処理部１１から光異常出力監視部１８に、単一種類又は複数種類のフレームフォーマット情報を通知しておき、光送出部１７からの光信号をモニタして、そのフレームフォーマットが、通知されたフレームフォーマットと異なる場合、異常発生と判定する。又電気信号から光信号に変換する場合に符号変換を行うもので、ＮＲＺ符号や４Ｂ５Ｂ，８Ｂ１０Ｂ等の変換符号則を適用するものであり、その符号則情報を、ＰＯＮ処理部１１から光異常出力監視部１８に通知しておき、光異常出力監視部１８に於いてモニタした光信号が通知された符号則に従っていない場合、異常発生と判定する。【００２３】
光異常出力監視部１８に於いて異常発生と判定すると、その異常検出信号を、ＰＯＮ処理部１１と送出制御部１６と光送出部１７との少なくとも何れか一つに通知し、光信号送出を停止させる。又は光異常出力監視部１８からＰＯＮ処理部１１に入力した異常検出信号により、ＰＯＮ処理部１１から送出制御部１６と光送出部１７との何れか一方又は両方を点線矢印で示すように制御して、送信停止を行わせることができる。【００２４】
この送信停止の制御は、例えば、光送出部１７の光モジュールに対する駆動電源の切断、光モジュールへ入力する電気信号の遮断、光送信部１７からの光信号を光スイッチにより遮断、送出制御部１６から光送出部１７への送信データとしての電気信号の遮断、ＰＯＮ処理部１１から送出制御部１６への送信データとしての電気信号の遮断等の何れか一つ又は複数の遮断手段により光信号の送出を遮断する。それにより、異常発生加入者終端装置は、自発的に光信号の送出を停止して、他の加入者線終端装置の通信を継続させることができる。【００２５】
図３は、送信開始タイミング異常の場合を示し、（ａ）に示すように、集合回線終端装置から加入者線終端装置ＯＮＵ＃１，ＯＮＵ＃２，ＯＮＵ＃３，ＯＮＵ＃４，・・・に対する送信開始タイミングが割り当てられている場合に、自加入者線終端装置ＯＮＵ＃２の送信開始タイミングが、送信タイミングズレ発生として示すように、他の加入者線終端装置ＯＮＵ＃１の割り当て送信継続時間と重なった場合、この重なった時間内の光信号によるデータは誤りデータとなる。そこで、ＰＯＮ処理部１１は、集合回線終端装置からの割り当て送信タイミング情報を光異常出力監視部１８に通知し、光異常出力監視部１８は、送信光信号をモニタし、割り当て送信開始タイミングに従ったタイミングで送信されているか否かを監視することにより、異常発生を検出して、光信号送出を停止するから、他の加入者線終端装置ＯＮＵ＃１の送信光信号に対する妨害をなくすことができる。【００２６】
図４は、送信フレーム異常監視について、（Ａ）は、送信フレームフォーマットが正常であるか否かを監視する場合を示し、（Ｂ）は、送信フレーム長が正常であるか否かを監視する場合を示す。送信フレームフォーマット比較により異常検出する（Ａ）に示す場合は、例えば、ＡＴＭ（Ａｓｙｎｃｈｒｏｎｏｕｓ  Ｔｒａｎｓｆｅｒ  Ｍｏｄｅ）、ＩＥＥＥ８０２．３等に準拠したフォーマットを加入者終端装置ＯＮＵ内のデータベースに保持し、そのフォーマット情報を、光異常出力監視部１８に通知しておき、光異常出力監視部１８に於いてモニタした送信フレームフォーマットと比較し、不一致の場合は、光異常出力と判定して、前述のように、光信号の送信を停止させる。【００２７】
又フレーム長比較により異常を検出する（Ｂ）に示す場合は、モニタした光信号による送信フレームのフレーム長と、予め設定したフレーム長とが一致しない場合、ＰＯＮ処理部１１と送出制御部１６と光送出部１７との何れかに於いて異常発生と判定して、前述のように、光信号の送信を停止させる。【００２８】
図５は、ステップ（１）〜（６）による光異常出力監視部１８の異常検出のフローチャートを示し、図２に於ける光送出部１７から送信信号に従って光送出部１７は光信号に変換して送信する光出力制御を行い（１）、光異常出力監視部１８は、フレームフォーマット比較（２）、フレーム送出時間比較（３）、フレーム送出タイミング比較（４）を行い、何れも正常の場合は、正常光出力と判定し（５）、比較ステップの何れかに於いて異常と判定すると、異常発生と判定して、光出力停止（６）の制御を行う。なお、比較ステップ（２），（３），（４）の何れか一つの比較ステップを適用することも可能であり、又４Ｂ５Ｂ符号則や８Ｂ１０Ｂ符号則等の符号則違反の有無を判定する比較ステップを含めることもできる。
【産業上の利用の可能性】
【００２９】
光異常出力監視部１８に於いて異常発生を検出して、他の加入者線終端装置ＯＮＵに妨害を与えないように光信号送出を停止させる構成のＰＯＮシステムは、集合回線終端装置ＯＬＴに対して１６加入者線終端装置ＯＮＵを光カプラを介して接続した構成や、３２加入者線終端装置ＯＮＵを接続した構成等に適用可能であり、ＰＯＮシステムの信頼性を向上することができる。
【図１】
2008126220.tif 000003
【図２】
2008126220.tif 000004
【図３】
2008126220.tif 000005
【図４】
2008126220.tif 000006
【図５】
2008126220.tif 000007
【国際調査報告】
2008126220.tif 000008
2008126220.tif 000009
2008126220.tif 000010
2008126220.tif 000011